(57)【要約】【課題】従来、申し込み用紙から必要な画像を切り取り、新たな印刷物を作成する際、画像切り取りは熟練によるところが多く、均一な切り取りが難しかった。また切り取り画像の角度補正の手間、印刷物の送付時の宛名誤記あるいは記入漏れ、さらに封入する際の誤封入という問題があった。【解決手段】所定の画像を切り取る処理を、用紙に設定した画像枠１７を用いて行い、均一で簡単な画像切り取り実現を図り、また所定の情報を印刷したラベルを同時に印刷して複数の印刷物の仕切り４７を用いて作業の改善を図る。【選択図】図１
2006129346.tif 000002
【特許請求の範囲】
【請求項１】
所定の用紙の記載を画像読取部で全体画像情報として読み取り、
前記画像情報を画像記憶部に記憶し、切り取り条件設定部に前記画像情報から指定した部分の指定画像を切り取る条件として前記指定画像を囲む枠の位置と構成を設定し、切り取り部が前記切り取り条件設定部に設定された条件に従って前記画像情報から前記指定画像を切り取り、制御部が、前記画像情報を前記画像記憶部に記憶させ、前記切り取り部に前記指定画像の切り取りを行わせ、前記指定画像の修正の有無を判断し、前記指定画像に必要な合成を行い前記印刷情報を作成し、前記印刷情報を前記印刷部へ送る印刷物作成方法。
【請求項２】
所定の用紙の記載を全体画像情報として読み取る画像読取部と、前記画像情報を記憶する画像記憶部と、前記画像情報から指定した部分の指定画像を切り取る条件である前記指定画像を囲む枠の位置と構成を設定しておく、切り取り条件設定部と、前記切り取り条件設定部の設定に従って前記画像情報から前記指定画像を切り取る切り取り部と、所定の印刷情報を出力する印刷部と、前記画像情報を前記画像記憶部に記憶させ、前記切り取り部に前記指定画像の切り取りを行わせ、前記指定画像の修正の有無を判断し、前記指定画像に必要な合成を行い、前記印刷情報を作成し、前記印刷情報を前記印刷部へ送る制御部とを備えた印刷物作成システム。
【請求項３】
背景画像を記憶している背景画像部を備え、前記制御部が前記指定画像と前記背景画像を合成する請求項１に記載の印刷物作成システム。
【請求項４】
複数の画像の切り取り条件を設定する前記切り取り条件設定部と、前記切り取り条件設定部に設定された複数の画像の切り取り条件毎に、前記画像情報から複数の画像を切り取る前記切り取り部とを備え、前記制御部が前記複数の画像を用いて前記印刷情報を作成する請求項１又は２に記載の印刷物作成システム。
【請求項５】
前記画像情報から切り取った前記複数の画像により複数の印刷情報と、前記複数の印刷情報を含む情報ラベル印刷情報と、前記複数の印刷情報と前記情報ラベル印刷情報とをあらかじめ定めた順序で印刷する請求項３に記載の印刷物作成システム。
【発明の詳細な説明】
【技術分野】
【０００１】
本発明は、画像をデータとして読み取り、読み取った画像からあらかじめ設定した条件を用いて写真等の部分を切り取り、必要な修正を加えて印刷物を作成する印刷物作成システムに関するものである。
【背景技術】
【０００２】
従来の印刷物作成システムでの画像を取り込んだ印刷物の作成は、図１２ないし図１４に示すように、印刷物作成の希望者が申し込み用紙６１を用い、宛先等記入欄６２に住所、氏名、電話番号等の申し込み者情報と作成依頼枚数を記入し、印刷物となる写真等の画像６３を申し込み用紙６１に貼り、印刷物の作業者へ依頼する。  
【０００３】
印刷物の作業者は、希望者からの申し込み用紙６１を受け付け、ブロック図（図１２）に示す構成の画像を切り取り、印刷する印刷物作成システム印刷物を作成する。
【０００４】
次に画像を切り取り、印刷する印刷物の作成フロー図を示す（図１４）。申し込み用紙を受け付けて（ＳＴ３１）、申し込み用紙を画像読取部５１にセットし（ＳＴ３２）、申し込み用紙の画像を読み取る（ＳＴ３３）。読み取られた申し込み用紙の画像は画像記憶部５８に記憶され、表示部５２に表示される（ＳＴ３４）。読み取った画像が曲がっている場合は作業者は表示部の枠等を基準に画像の曲がりを確認し、手作業で画像を確認しながら申し込み用紙の画像の角度補正を行う（ＳＴ３６）。
【０００５】
次に表示されている画像から印刷する画像の範囲を、マウス５４で指定し（ＳＴ３７）、制御部５７で切り取る（ＳＴ３８）。次に背景画像を背景画像部５９から読み出し、切り取った画像と制御部５７で合成し、合成した画像を印刷イメージとして表示部５２に表示し、確認する（ＳＴ３９）。印刷イメージに修正が無い場合は、キーボードから印刷枚数と印刷の指示を入力し、制御部57が印刷枚数情報と印刷イメージを印刷部５５に送り、印刷部５５で印刷物が印刷される（ＳＴ４３）。
【０００６】
作業者は申し込み用紙６１の宛名情報６２を見て送付用封筒に宛名を手書きし、宛名の記載された封筒に印刷物を作成依頼枚数分封入し、宛先に送付し（ＳＴ４６）、作業が完了する。
【特許文献１】特開平１１−２９６３３７号公報（第３−５頁、第１図、第２図）
【発明の開示】
【発明が解決しようとする課題】
【０００７】
しかしながら、従来の画像を切り取り、印刷する印刷物作成システムにおいては、申し込み用紙の画像から印刷する画像部分の切り取りに際し、範囲指定、読み取り画像が曲がっていた場合の角度補正を、手作業で行っているため、作業者の熟練度や技能の差により、均一な位置や範囲の指定が難しく、手間がかかるという問題があった。さらに封筒への宛先記入は、申し込み用紙を見て手書きするため、誤記や記入漏れを防止することができず、封筒に印刷物を封入する際、誤封入防止のため申し込み用紙を用いて、印刷した印刷物の枚数と、宛先を記入した封筒とを確認して封入しており、確認作業の手間がかかるという問題があった。
【０００８】
本発明は、従来の問題を解決するためになされたもので、画像を作業者の熟練度や技能の差によらないで切り取り、均一で短時間の画像切り取りを実現し、誤封入防止の確認の手間を改善できるようにした印刷物作成システムを提供することを目的とする。
【課題を解決するための手段】
【０００９】
本発明の印刷物作成システムは、  
所定の用紙の記載を画像情報として読み取る画像読取部と、前記画像情報を記憶する画像記憶部と、前記画像情報から指定した部分の画像を切り取る条件を設定しておく切り取り条件設定部と、前記切り取り条件設定部の設定により前記画像情報から指定画像を切り取る切り取り部と、所定の印刷情報を出力する印刷部と、前記印刷部に送る前記印刷情報を前記指定画像を用いて作成し、前記画像読み取り部と前記画像記憶部と前記切り取り条件設定部と前記切り取り部と前記印刷部とを制御する制御部とした構成を有している。
【００１０】
この構成により、画像を作業者の熟練度や技能の差によらないで切り取ることが可能となり、角度補正などの時間を節約し、均一で効率的な印刷物の作成を実現できる。
【００１１】
また、前記印刷情報となる背景画像を記憶している背景画像部と、前記指定画像と前記背景画像を合成する前記制御部とした構成を有している。
【００１２】
この構成により、申し込み者の希望する背景と指定画像とを合成した印刷物を作成でき、また、背景画像を選択することにより定型部分がある宛名ラベル、申し込み情報ラベルを印刷することができる。
【００１３】
また、複数の画像の切り取り条件を設定する前記切り取り条件設定部と、前記切り取り条件設定部の設定により、画像情報から複数の画像を切り取る前記切り取り部と、前記複数の画像を用いた前記印刷情報を作成する制御部とした構成を有している。
【００１４】
この構成により画像情報、宛名ラベルの情報、申し込み情報ラベルの情報を画像情報とともに切り取り、それぞれ印刷することができる。
また、前記画像情報から切り取った前記複数の画像により複数の印刷情報と、前記複数の印刷情報を含む情報ラベル印刷情報と、前記複数の印刷情報と前記情報ラベル印刷情報とをあらかじめ定めた順序で印刷する構成を有している。
【００１５】
この構成により情報ラベルを区切りとして、複数の画像情報を同時に出力しても仕分けがし易くなり、誤封入を防止し、確認の手間を改善をすることができる。
【発明の効果】
【００１６】
本発明は、作業者の熟練度や技能の差によらないで画像を切り取ることが可能となり、角度補正などの時間を節約し、均一で効率的な印刷物の作成を実現できる。
【００１７】
また、申し込み者の希望する背景と指定画像とを合成した印刷物を作成でき、また、背景画像を選択することにより定型部分がある宛名ラベル、申し込み情報ラベルを印刷することができる。
【００１８】
また、画像情報、宛名ラベルの情報、申し込み情報ラベルの情報を画像情報とともに切り取り、それぞれ印刷することができる。
【００１９】
また、情報ラベルを区切りとして、複数の画像情報を同時に出力しても仕分けがし易くなり、誤封入を防止し、確認の手間を改善をすることができる。
【００２０】
また、画像をデータとして読み取り、読み取った画像を有する印刷物を作成する印刷物、特に証紙、小切手、切手等に、顔写真、ポートレート、記念写真等を入れて印刷すると、切手の場合は記念品として商品価値が大きくなり、証紙、小切手の場合は本人を確認で
きることによる安全性の向上を図ることができ、これらの印刷物を作成する印刷物作成システムとして有用である。
【発明を実施するための最良の形態】
【００２１】
以下、本発明の第1の実施の形態の印刷物作成システムについて図面を用いて説明する。本発明の印刷物作成システムのシステム構成図を図１に、本システムに用いる申し込み用紙を図２に、出力する印刷物を図３に、本システムの印刷物作成のフローチャートを図４に示す。
【００２２】
申し込み用紙１を読み取る画像読取部１は、読み取った申し込み用紙の画像、操作に必要な情報を表示する表示部２、印刷枚数の指定などを行うキーボード部３、作業者が手動で指定する場合に用いるマウス部４、とともに制御部７にバスラインAで接続されている。また制御部７から送られてくる印刷イメージ情報や印刷枚数情報により印刷物を印刷する印刷部５は画像読み取り部１等とは別に制御されているバスラインBで制御部７と接続されている。このバスラインBには切り取り部１１も接続されている。制御部７は切り取り部１１で切り取られた指定画像１６の情報と背景画像部９に記憶されている背景画像１８の情報を合成して印刷イメージを作成し、キーボード部３から設定された印刷枚数情報により印刷部５に印刷情報を送る。また図１で示すシステム全体を制御する。バスラインAとバスラインBとの使い分けは、主に入力と出力に関する部分をバスラインAに、画像の処理に関する部分をバスラインBに接続し、処理の高速化を図っている。
【００２３】
ここで、画像記憶部８は画像読取部１で読み取られた申し込み用紙１４の画像情報を記憶する。印刷物１９に印刷する背景画像情報を記憶している背景画像部９、申し込み用紙の画像から指定画像１６を切り取る条件が設定されている切り取り条件設定部１０は、ともにバスラインBで制御部７に接続している。切り取り部１１は切り取り条件設定部１０に設定されている条件により写真などの指定画像１６を、画像記憶部８に記憶されている申し込み用紙１４の画像情報から切り取る。ここで、画像の切り取りとは、申し込み用紙の画像情報から必要な情報（画像部分の情報）を写し取るコピーでも良い。
【００２４】
以上のように構成された印刷物作成システムについて、フローチャート（図４）を用いてその動作を説明する。
【００２５】
最初に、印刷物の希望者が図２に示す申し込み用紙１４の宛先等記入欄１５に住所・氏名・電話番号・作成枚数等の申し込み者情報を記入し、印刷を希望する写真等の指定画像１６を、枠１７の中に貼り付けて、印刷物作成の申し込み用紙１４を作成する。枠１７は切り取り条件設定部１０で認識するため、太線で印刷されている。
【００２６】
画像を切り取り、印刷する印刷物１９を作成する作業者は、希望者からの申し込み用紙１４を受け付け（ＳＴ０１）、申し込み用紙を画像読取部１にセットし（ＳＴ０２）、申し込み用紙の画像１６を読み取り、読み取られた画像は制御部７の指示により、画像記憶部８に画像情報として記憶される（ＳＴ０３）。切り取り部１１は、申し込み用紙の画像情報から切り取り条件設定部１０に設定されている画像切り取り条件に従って、指定画像を切り取る（ＳＴ０４）。画像切り取り条件としては申し込み用紙の前端面からの距離Ｙ１、左端面からの距離Ｘ1、画像枠線の太さを用い、画像上の枠１７をサーチして切り取りを行う。
【００２７】
このステップで画像貼付枠１７の認識結果から枠線１７が傾いていると判定された場合は角度の補正を行い、枠１７を基準に指定画像１６を切り取る。その後、背景画像１９の情報を背景画像部９から読み出し、切り取った指定画像１６と背景画像１８との情報を制御部７で合成する（ＳＴ０５）。合成した画像１９の情報は印刷イメージとして表示部２
に表示し、作業者は印刷イメージの画像を確認し（ＳＴ０６）、修正が必要な場合はＳＴ０２の申し込み用紙を画像読取部１にセットするステップからやり直す（ＳＴ０７）。
【００２８】
印刷イメージ画像に修正が無い場合は印刷物の印刷枚数をキーボード部３から入力し（ＳＴ０８）、制御部７により、印刷枚数情報と印刷情報が印刷部５に送られ、印刷部５で印刷物１９が指定された枚数印刷される（ＳＴ０９）。これらの作業により、印刷物１９が出力されると、申し込み用紙１４の宛名情報１５を作業者が確認して送付用封筒に宛名を手書きし（ＳＴ１０）、印刷物を作成依頼枚数分封入し（ＳＴ１１）、宛先に送付する（ＳＴ１２）。
【００２９】
以上のようにして、作業者の熟練度や技能の差によらない、均一で簡単な画像切り取りを実現し、また画像が曲がっていた場合の角度補正の時間を省略すことができる。
【００３０】
次に本発明の第２の実施の形態の印刷物作成システムを図５ないし図７に示す。
【００３１】
印刷物の希望者が、申し込み用紙（図５）に必要事項を記入して、宛名ラベル（図６）、画像つき印刷物（１９）を出力するまでの過程の印刷物作成のフローチャート（図７）に示す。
【００３２】
図７において、図４と同じ内容のステップは説明を省略している。この実施例では、指定画像情報１６、および宛名画像２３を、切り取り条件設定部１０に設定されている画像切り取り条件と宛名画像切り取り条件（図５に示す読み込み方向から見て、申し込み用紙２１の前端面からの距離Ｙ２、左端面からの距離Ｘ２、宛名枠線の太さ）に従って切り取る（ＳＴ２１）（ＳＴ０４）。ここでＳＴ２１の宛名画像２３の切り取りと、ＳＴ０４の画像の切り取りは同時に行ってもよい。
【００３３】
宛名枠線２２の認識結果から枠線２２が傾いていると判定された場合は角度の補正を行い、宛名枠線を基準に宛名画像２３を切り取る。ＳＴ０５では指定画像１６背景画像１８との合成のみならず、宛名画像２３と背景画像部９に記憶している宛名ラベル２８の定型部分（・・・様  など）とを合成し宛名ラベルの情報を作成する。ＳＴ０６〜ＳＴ０９までは第１の実施の形態と同一の処理である。
【００３４】
制御部７の指示により、宛名ラベル２８と画像１６あるいは画像１６と背景画像１８の合成画像の印刷情報が印刷部５に送られ、印刷部５で宛名ラベル２８と印刷物が印刷される（ＳＴ２２）。作業者はＳＴ２３で出力された宛名ラベル２８から宛名部分２９をミシン目等の切り取り部３１で切り取り、印刷物を封入する封筒に貼り付ける。宛名ラベルがシールである場合には、３１で示した部分を台紙から剥がして封筒に貼り付ける。
【００３５】
以上のように第２の実施の形態では、住所・氏名などの宛名情報も申し込み用紙画像から切り取った画像を用いて作成し、宛名ラベルを印刷することにより、誤記、記入漏れをなくすことができる。さらに、宛名を画像として切り取り、宛名ラベルを作成することで、宛名の誤読による誤配送を防止することができる。
【００３６】
次に本発明の第３の実施の形態の印刷物作成システムを図８ないし図１１を用いて説明する。本実施例の申し込み用紙を図８に、情報ラベルを図９に、印刷の例を図１０に、印刷物作成のフローチャートを図１１に示す。
【００３７】
図１１において、図４、図７に示すフローチャートと同じ内容のステップはは説明を省略する。画像記憶部８に記憶されている申し込み用紙の画像３２から、切り取り条件設定部に設定されている画像切り取り条件（申し込み用紙の前端面からの距離Ｙ１、左端面か
らの距離Ｘ1、画像枠線の太さ）に従って画像１６を、宛名部分の画像を、宛名情報切り取り条件（申し込み用紙の前端面からの距離Ｙ２、左端面からの距離Ｘ２、宛名枠線の太さ）に従って、申し込み情報３４を、申し込み情報切り取り条件（申し込み用紙の前端面からの距離Ｙ３、左端面からの距離Ｘ３、宛名枠線の太さ）に従って切り取り部１１で切り取る（ＳＴ２６）。
【００３８】
画像枠線１７、宛名枠２２、申し込み情報枠３３の認識結果から枠線が傾いていると判定された場合は角度の補正を行う。ここで枠は画像枠線１８、宛名枠２２、申し込み情報枠３３の内のひとつで代表させてもよい。ＳＴ０５〜ＳＴ０９までは、第２の実施の形態と同一の処理である。図１０に示すように、印刷部５では印刷物の用紙カセット４４には印刷物の用紙が収納されており、また申し込み情報ラベルの用紙カセット４５には申し込み情報ラベルの用紙が収納されている。制御部７の指示により、印刷物４６と申し込み情報ラベル４７が一対になるように印刷される（ＳＴ２７）。本実施例では申し込み情報ラベル４７が先頭になるように印刷を行う。図１１では、申し込み用紙毎に印刷を行うが（ＳＴ２９）、画像記憶部８に作成の完了した印刷物４６の情報を蓄積しておき、複数の申し込み情報ラベル、印刷物を連続して印刷しても良い。
【００３９】
連続して印刷物を印刷した場合、第一の印刷物と、その宛名ラベル、第二の印刷物と、その宛名ラベルとが、情報ラベル３６で区分けされ、印刷物がまざらないようにセパレータの役目をはたす。作業者は印刷物４６と申し込み情報ラベル４７を一対にして印刷部５の集積部から取り出す。
【００４０】
このように出力すると、申し込み情報ラベル３６がそれぞれを区分けし、また印刷されている画像４１および申し込み情報４０と印刷部に印刷されている画像と枚数を比較し確認するのが容易になる。
【００４１】
また封入作業では、申し込み情報ラベル３６から宛名部分３７を切り取り部３９からはがし、印刷物を封入する封筒に貼り付ける（ST２８）。ＳＴ１１の印刷物封入以降の処理は同一である。
【００４２】
以上のような実施例によって、申し込み用紙から切り取った画像と宛名情報が印刷された申し込み情報ラベルをセパレータとして印刷物と一対になるように印刷部で印刷されるため、申し込み用紙をと、印刷した印刷物、印刷枚数の確認が容易となり、誤封入や確認の手間を改善できるという利点がある。
【産業上の利用可能性】
【００４３】
以上のように、本発明にかかる印刷物作成システムは、作業者の熟練度や技能の差によらないで画像を切り取ることが可能となり、角度補正などの時間を節約し、均一で効率的な印刷物の作成を実現でき、申し込み者の希望する背景と指定画像とを合成した印刷物を作成でき、また、背景画像を選択することにより定型部分がある宛名ラベル、申し込み情報ラベルを印刷することができる。また、画像情報、宛名ラベルの情報、申し込み情報ラベルの情報を画像情報とともに切り取り、それぞれ印刷することができ、情報ラベルを区切りとして、複数の画像情報を同時に出力しても仕分けがし易くなり、誤封入を防止し、確認の手間を改善をすることができるという効果を有する。画像をデータとして読み取り、読み取った画像を有する印刷物を作成する印刷物、特に証紙、小切手、切手等に、顔写真、ポートレート、記念写真等を入れて印刷すると、切手の場合は記念品として商品価値が大きくなり、証紙、小切手の場合は本人を確認できることによる安全性の向上を図ることができ、これらの印刷物を作成する印刷物作成システムとして有用である。
【図面の簡単な説明】
【００４４】
【図１】本発明の第１の実施の形態におけるシステム構成図
【図２】本発明の第１の実施の形態における申し込み用紙の例を示す図
【図３】本発明の第１、第２、第３の実施の形態における印刷物の図
【図４】本発明の第１の実施の形態における印刷物作成のフローチャート
【図５】本発明の第２の実施の形態における申し込み用紙の例を示す図
【図６】本発明の第２の実施の形態における宛名ラベルの例を示す図
【図７】本発明の第２の実施の形態における印刷物作成のフローチャート
【図８】本発明の第３の実施の形態における申し込み用紙の例を示す図
【図９】本発明の第３の実施の形態における申し込み情報ラベルの例を示す図
【図１０】本発明の第３の実施の形態における印刷部の例を示す図
【図１１】本発明の第３の実施の形態における印刷物作成のフローチャート
【図１２】従来の印刷物作成システムのシステム構成図
【図１３】従来の印刷物作成システムの申し込み用紙の例を示す図
【図１４】従来の印刷物作成のフローチャート
【符号の説明】
【００４５】
１  画像読取部
２  表示部
３  キーボード部
４  マウス部
５  印刷部
７  制御部
８  画像記憶部
９  背景画像部
１０  切り取り条件設定部
１１  切り取り部
１５  申し込み用紙
１６  宛先等記入欄
１７  画像
１８  画像貼付枠
２１  申し込み用紙
２２  宛名枠線
２３  宛名情報
２４  申し込み情報
２８  宛名ラベル
２９  宛名部分
３０  宛名情報
３１  切り取り部
３２  申し込み用紙
３３  申し込み情報枠線
３４  申し込み情報
３６  申し込み情報ラベル
３８  宛名情報
３９  切り取り部
４０  申し込み情報
４３  印刷部
４４  印刷物の用紙カセット
４５  申し込み情報ラベルの用紙カセット
４６  印刷物
４７  申し込み情報ラベル
６１  申し込み用紙
【図１】
2006129346.tif 000003
【図２】
2006129346.tif 000004
【図３】
2006129346.tif 000005
【図４】
2006129346.tif 000006
【図５】
2006129346.tif 000007
【図６】
2006129346.tif 000008
【図７】
2006129346.tif 000009
【図８】
2006129346.tif 000010
【図９】
2006129346.tif 000011
【図１０】
2006129346.tif 000012
【図１２】
2006129346.tif 000013
【図１３】
2006129346.tif 000014
【図１４】
2006129346.tif 000015
【図１１】
2006129346.tif 000016